(57)【特許請求の範囲】
【請求項１】
横向き円筒形状の容器内に、相対峙して設けられた一対の湿分分離器およびこの湿分分離器の上部に加熱器を有し、サイクル蒸気が前記容器底部から入り湿分分離器から加熱器の順に通過するよう前記容器内を複数の空間に分ける仕切板を設け、この容器内に上側レベル検出座を配設し、容器の底部に接続された容器内のドレンを系外へ排出するドレン排出管に下側レベル検出座を配設し、前記上側レベル検出座と下側レベル検出座をレベルスイッチを配設したレベル検出配管にて接続した湿分分離加熱器において、前記上側レベル検出座を湿分分離器下流側空間と連通する容器壁に配設するとともに、前記上側レベル検出座の先端開口を湿分分離器上端より高い位置に開放したことを特徴とする湿分分離加熱器。
【請求項２】
横向き円筒形状の容器内に、相対峙して設けられた一対の湿分分離器およびこの湿分分離器の上部に加熱器を有し、サイクル蒸気が前記容器底部から入り湿分分離器から加熱器の順に通過するよう前記容器内を複数の空間に分ける仕切板を設け、この容器内に上側レベル検出座を配設し、容器の底部に接続された容器内のドレンを系外へ排出するドレン排出管に下側レベル検出座を配設し、前記上側レベル検出座と下側レベル検出座をレベルスイッチを配設したレベル検出配管にて接続した湿分分離加熱器において、前記上側レベル検出座を前記容器内の仕切板を貫通させ、その先端開口を湿分分離器下流側空間と連通する容器壁と仕切板に囲まれた空間でかつ湿分分離器上端より高い位置に開放したことを特徴とする湿分分離加熱器。
【請求項３】
横向き円筒形状の容器内に、相対峙して設けられた一対の湿分分離器およびこの湿分分離器の上部に加熱器を有し、サイクル蒸気が前記容器底部から入り湿分分離器から加熱器の順に通過するよう前記容器内を複数の空間に分ける仕切板を設け、この容器内に上側レベル検出座を配設し、容器の底部に接続された容器内のドレンを系外へ排出するドレン排出管に下側レベル検出座を配設し、前記上側レベル検出座と下側レベル検出座をレベルスイッチを配設したレベル検出配管にて接続し前記容器の長手方向中心位置で内部を長手方向に対称的に複数の空間に区画するための中央側仕切板を前記容器内に設けて成る湿分分離加熱器において、この中央側仕切板を貫通させて前記上側レベル検出座を配設し、この上側レベル検出座の先端開口を湿分分離器下流側空間まで延伸させて成ることを特徴とする湿分分離加熱器。
【発明の詳細な説明】
【０００１】
【発明の属する技術分野】
本発明は、湿り度の高い蒸気から湿分を除去し、さらにその蒸気を加熱蒸気によって加熱する湿分分離加熱器に関する。
【０００２】
【従来の技術】
一般に、原子力プラントにおいては高圧タービンで仕事を終えた蒸気には１２％程度の湿分が含まれている。この蒸気を湿分の除去と同時に、より高温の加熱蒸気として低圧タービン（図示せず）に導くために湿分分離加熱器が使用される。
【０００３】
従来の湿分分離加熱装置を図７ないし図１１を参照して説明する。
図７において、湿分分離加熱器１は横向き円筒形状の容器１ａ内に湿分分離器２と２個の加熱器３を内蔵している。この加熱器３は高圧タービン抽気により加熱する第１段加熱器３ａと原子炉から送られる主蒸気により加熱する第２段加熱器３ｂから構成されている。この構造は、容器１ａの軸線方向の中央面Ａ−Ａに対して対称の形状となっている。
【０００４】
第１段および第２段加熱器３ａ，３ｂはそれぞれ内部を仕切板５ａ，５ｂによって隔離された加熱器ヘッダ４ａ，４ｂと、これらの加熱蒸気ヘッダ４ａ，４ｂ同士を連通する容器１ａの長手方向に沿って設けられるＵ字状伝熱管６ａ，６ｂとから構成される。この第１段および第２段加熱器３ａ，３ｂには、器外との連絡のため容器１ａをそれぞれ貫く加熱蒸気管２２ａ，２２ｂ、ベント管２３ａ，２３ｂ、ドレン管２４ａ，２４ｂが接続される。熱交換はＵ字状伝熱管６ａ，６ｂ配置部と加熱蒸気ヘッダ４ａ，４ｂ配置部とを仕切る鏡側仕切板２５と湿分分離加熱器１の中央部に配設された中央側仕切板２６で形成された領域で行われる。
【０００５】
一方、湿分分離器２は図８に示すように、２個が容器１ａの軸線方向に対面して設けられる。この湿分分離器２と上記の第１段および第２段加熱器３ａ，３ｂにサイクル蒸気を導く通路は、湿分分離加熱器１下部のサイクル蒸気入口７から湿分分離加熱器１上部のサイクル蒸気出口８にかけて仕切板９，１０ａ，１０ｂを順次配置して形成される。
【０００６】
この仕切板９，１０ａ，１０ｂにより、サイクル蒸気が湿分分離器２および加熱器３ａ，３ｂを通過するよう湿分分離加熱器１内部が複数の空間に仕切られている。そして、仕切板９と仕切板１０ａに囲まれた空間が湿分分離器２下流側と、仕切板１０ａと仕切板１０ｂに囲まれた空間が第１段加熱器３ａ下流側とそれぞれ連通している。また、このサイクル蒸気通路から隔離されて底板１２，天井板１３により成るドレン流路１１が形成される。
【０００７】
一方、図９に示すように、サイクル蒸気流入部以外のドレン通路は、天井板１３および２枚の側板１４，１４によって形成される。また、ドレン流路内のドレンを器外に排出するためのドレン排出管１５が湿分分離加熱器１底部に接続される。図１０はこの部分を拡大した斜視図で示したものである。ところで、ドレン水位の検出は、図９に示すように、湿分分離器２のサイクル蒸気入口側容器壁１ｂに配設された上側レベル検出座１６とドレン排出管１５に配設された下側レベル検出座１７および上，下側レベル検出座１６，１７に接続し、その途中にレベルスイッチ１８を設けたレベル検出配管４１にて行なう。図１１はレベル検出装置４０の全体構成を示したものであり、容器の外に排出されるドレンは、湿分分離加熱器１の下部に複数配設されたドレン搬出管１５を介してドレン排出合流管２１によって集められ湿分分離器ドレンタンク１９に流入する。この湿分分離器ドレンタンク１９内の水位の調整は湿分分離ドレンタンク１９の底部に配設され系外へドレンを排出する排水管４２に配設されたドレン弁２０を開閉することによって行われる。
【０００８】
このような構成の湿分分離加熱器１およびそのレベル検出装置４０において、通常の運転時には、ドレン弁２０により水位の調整は安定している。ところが、ドレン弁２０が故障しドレンタンク１９からドレンの排出が不能になると、湿分分離器２によって分離されたドレンは、湿分分離器ドレンタンク１９からドレン排出合流管２１およびドレン排出管１５を経て湿分分離加熱器１の内部へと溜まってゆくことになる。これによって、前記器内のドレンレベルが上昇すると、湿分分離器２の機能が停止し、高圧タービンの排気蒸気はそのまま第１段および第２段加熱器３ａ，３ｂに流入することになる。
【０００９】
この第１段および第２段加熱器３ａ，３ｂは、ほとんど湿り気のない蒸気を加熱するための熱交換器であることから、湿分が急激に増大すると、完全に乾いた蒸気に加熱することが出来ない。従って、サイクル蒸気出口８から湿り蒸気が低圧タービンへと排出されることになる。ところが、低圧タービンに大量の湿分が流入すると、低圧タービンに急収縮や急加速などが生じ、損傷に至る恐れがある。よって、このような事故を防ぐために、ドレン水位をレベルスイッチ１８により監視し、レベルスイッチ１８から湿分分離加熱器１のほぼ底部のレベルに相当する『水位高』の信号が発せられると、タービントリップやプラント停止に至るような制御としている。また、誤動作を防ぐため、それぞれのレベルを検出するのに複数のレベルスイッチ１８を併用している。
【００１０】
【発明が解決しようとする課題】
ところで、図８，図９に示すように湿分分離加熱器１内における湿分分離器２に流入する前のサイクル蒸気の挙動を詳しくみると、サイクル蒸気２８は湿分分離器２に入る前に方向を大きく反転して流れるため、比重の大きい湿分は遠心力の作用により容器壁１ｂの内面に押し付けられる。そのため、湿分分離加熱器１の内壁には壁面に沿う液膜２９が形成される。
【００１１】
上側レベル検出座１６は、湿分分離器２のサイクル蒸気上流側の容器壁１ｂに配設されているのに対し、下側レベル検出座１７は湿分分離器２で分離したドレン３０が流れるドレン排出管１５に配設されているため、圧力は上側レベル検出座１６の方が下側レベル検出座１７より高く、上側レベル検出座１６からレベル検出配管４１を介して下側レベル検出座１７へと蒸気の流れが形成される。
【００１２】
従って、湿分分離加熱器１の内壁の液膜２９は、圧力の高い上側レベル検出座１６を覆うように形成され、レベル検出配管４１から圧力の低い下側レベル検出座１７へと液膜２９はドレン３１として常時流れるようになる。通常運転において、このような流れが生じても、液膜２９のドレン３１はドレン排出管１５からドレンタンク１９へ排出されるのみであるから問題とならない。
【００１３】
しかし通常のプラントにおいては、通常状態からタービン出力を変更して運転することがある。特に、タービン出力を下げる場合、湿分分離加熱器１の器内圧力はタービン出力とともに降下するのに対し、ドレンタンク１９は湿分分離器２で分離した飽和ドレンが大量に溜まっており、ドレンの自己蒸発のため圧力は下がりにくい。このためドレン排出管１５が、湿分分離加熱器１内より、一時的に圧力が高くなってしまう。この時、上側レベル検出座１６からレベル検出配管４１を介してドレン排出管１５内へ流入するドレンは、下側レベル検出座１７からドレン排出管１５への排出が不能となり上側レベル検出座１６と下側レベル検出座１７の間に溜まってしまうことになる。このため、タービン出力降下速度が比較的早い場合、湿分分離加熱器１の器内にドレンが溜まっていないにもかかわらず、レベルスイッチ１８はドレン水位がそこまでの高さとして検知することになる。さらに、このレベルスイッチ１８から出た信号は異常信号としてタービントリップ等に至りプラントは停止する。
【００１４】
そこで、本発明の目的は、湿分分離加熱器の器内圧力がタービン出力に伴って変化しても、タービントリップ等のプラント停止に至る誤信号の発生のない湿分分離加熱器を提供することにある。
【００１５】
【課題を解決するための手段】
上記目的を達成するため請求項１項記載の発明に係る湿分分離加熱器は、横向き円筒形状の容器内に、相対峙して設けられた一対の湿分分離器およびこの湿分分離器の上部に加熱器を有し、サイクル蒸気が前記容器底部から入り湿分分離器から加熱器の順に通過するよう前記容器内を複数の空間に分ける仕切板を設け、この容器内に上側レベル検出座を配設し、容器の底部に接続された容器内のドレンを系外へ排出するドレン排出管に下側レベル検出座を配設し、前記上側レベル検出座と下側レベル検出座をレベルスイッチを配設したレベル検出配管にて接続した湿分分離加熱器において、前記上側レベル検出座を湿分分離器下流側空間と連通する容器壁に配設するとともに、前記上側レベル検出座の先端開口を湿分分離器上端より高い位置に開放したことを特徴とする。このように構成された請求項１記載の本発明は、通常運転時においては、検出座付近を通るサイクル蒸気はすでに湿分分離器を通り湿分を除かれた蒸気のためレベル検出座先端開口部に流入するドレンはなくなる。また、湿分分離器下流側に位置する検出座付近の圧力は、湿分分離器により分離されたドレンの下流側となるドレン排出管に設けた下側レベル検出座付近の圧力と等しいため、上側レベル検出座から下側レベル検出座への蒸気の流れはほとんどない。このため、上側レベル検出座と下側レベル検出座の間にはドレンは存在しない。したがって、タービン出力低下時における湿分分離加熱器の器内圧力低下時におけるドレン排出管側圧力が一時的に高い状態におかれても、上側検出レベル座へドレンが逆流することはない。よって、湿分分離加熱器の器内までドレン水位の上昇がない限り水位高の信号は発生しない。また、上側レベル検出座先端開口部を湿分分離器上端の位置より高くすることにより、先端開口部付近には湿分が取り除かれた蒸気のみが存在することになり、先端開口部からドレンが入り込むことは無い。
【００１６】
請求項２項記載の発明に係る湿分分離加熱器は、横向き円筒形状の容器内に、相対峙して設けられた一対の湿分分離器およびこの湿分分離器の上部に加熱器を有し、サイクル蒸気が前記容器底部から入り湿分分離器から加熱器の順に通過するよう前記容器内を複数の空間に分ける仕切板を設け、この容器内に上側レベル検出座を配設し、容器の底部に接続された容器内のドレンを系外へ排出するドレン排出管に下側レベル検出座を配設し、前記上側レベル検出座と下側レベル検出座をレベルスイッチを配設したレベル検出配管にて接続した湿分分離加熱器において、前記上側レベル検出座を前記容器内の仕切板を貫通させ、その先端開口を湿分分離器下流側空間と連通する容器壁と仕切板に囲まれた空間でかつ湿分分離器上端より高い位置に開放したことを特徴とする。このように構成された請求項２記載の本発明は、上側レベル検出座を湿分分離器の上流側空間を形成する仕切板，容器壁および湿分分離器で囲まれた空間における容器壁に取り付け、器内にて湿分分離器下流側の空間と連通する仕切板と容器で囲まれた空間までその先端開口部を延伸する。これにより、通常運転時は、先端開口部のある領域には湿分が除かれたサイクル蒸気が通るため、上側レベル検出座に流入するドレンはない。よって上側レベル検出座と下側レベル検出座を連通する配管の中に溜まるドレンもないため、たとえ一時的に下側レベル検出座周辺の領域の圧力が高くなろうとも、ドレンの逆流はなく水位高の信号が出ることはない。また、上側レベル検出座先端開口部を湿分分離器上端の位置より高くすることにより、先端開口部付近には湿分が取り除かれた蒸気のみが存在することになり、先端開口部からドレンが入り込むことは無い。
【００１７】
請求項３項記載の発明に係る湿分分離加熱器は、横向き円筒形状の容器内に、相対峙して設けられた一対の湿分分離器およびこの湿分分離器の上部に加熱器を有し、サイクル蒸気が前記容器底部から入り湿分分離器から加熱器の順に通過するよう前記容器内を複数の空間に分ける仕切板を設け、この容器内に上側レベル検出座を配設し、容器の底部に接続された容器内のドレンを系外へ排出するドレン排出管に下側レベル検出座を配設し、前記上側レベル検出座と下側レベル検出座をレベルスイッチを配設したレベル検出配管にて接続し前記容器の長手方向中心位置で内部を長手方向に対称的に複数の空間に区画するため中央側仕切板を前記容器内に設けて成る湿分分離加熱器において、この中央側仕切板を貫通させて前記上側レベル検出座を配設し、この上側レベル検出座の先端開口を湿分分離器下流側空間まで延伸させて成ることを特徴とする。このように構成された請求項３記載の本発明は、上流側レベル検出座を容器長手方向中心位置で内部を長手方向に対称的に複数の空間を区画するために設けられた２枚の中央側仕切板とその仕切板と容器壁に囲まれる空間を形成する部分の容器壁に取り付け、その先端開口部が容器内にて中央仕切板を貫通し湿分分離器下流側空間まで延伸させることにより、上側レベル検出座の取り付け位置にかかわらず、先端部付近には湿分が取り除かれた蒸気のみが存在することになり、その先端開口部からドレンが入り込むことは無い。
【００１９】
【発明の実施の形態】
本発明の実施の形態について以下、図１から図６を参照して説明する。なお、図１から図６において図７から図１１に示した従来技術と同一構成部分には同一符号を付しその構成の説明を省略する。
【００２０】
以下、図１の縦断面図により第１の実施の形態を示す。
図１において、湿分分離加熱器１には上側レベル検出座５０、下側レベル検出座１７、レベル検出配管５２およびレベルスイッチ１８から構成されるレベル検出装置５１が配設されている。上側レベル検出座５０は、仕切板９と仕切板１０ａの間の容器壁１ｂに配設している。この仕切板９と仕切板１０ａおよび容器壁１ｂで囲まれた空間は湿分分離器２の下流側と連通している。
【００２１】
また、湿分分離器２の下流側は飽和蒸気が存在し、仕切板９上部が濡れて水が溜まる可能性があることから、上側レベル検出座５０を仕切板９より高い位置となる湿分分離器２上端より高い位置に設定している。
【００２２】
このような構成の湿分分離加熱器１おいては、従来例に示した液膜は仕切板９にて遮蔽され、上側レベル検出座５０のレベル検出器先端開口２７から流入するドレンはない。また、通常運転時においては、検出座付近を通るサイクル蒸気はすでに湿分分離器２を通り湿分を除かれた蒸気のためレベル検出座先端開口２７に流入するドレンはなくなる。また、湿分分離器２下流側に位置する検出座付近の圧力は、湿分分離器２により分離されたドレンの下流側となるドレン排出管１５に設けた下側レベル検出座１７付近の圧力と等しいため、上側レベル検出座５０から下側レベル検出座１７への蒸気の流れはほとんどない。このため、上側レベル検出座５０と下側レベル検出座１７の間にはドレンは存在しない。このため、湿分分離加熱器１の器内圧が降下する時、ドレン排出管１５内が湿分分離加熱器１の器内より一時的に圧力が高くなっても、上側レベル検出座５０からレベル検出配管５２を介して下側レベル検出座１７にドレンが逆流し、レベルスイッチ１８を稼動させることはない。従って、湿分分離加熱器１の器内圧力が降下するときでもタービントリップ等に至る『水位高』の誤信号は発生しない。
【００２３】
次に図２を参照して、本発明の第２の実施の形態を説明する。図２において、湿分分離加熱器１には、上側レベル検出座６０、下側レベル検出座１７、レベル検出配管６１およびレベルスイッチ１８から構成されるレベル検出装置６２が配設されている。
【００２４】
この第２の実施の形態においては、上側レベル検出座６０を仕切板９の下側の容器壁１ｂに設置し、その先端開口６３は容器１ａ内で仕切板９を貫通し、湿分分離器２下流側と連通する空間に開放している。そして、湿分分離器２下流側は飽和蒸気が存在し、仕切板９上部が濡れて水が溜まる可能性があることから、レベル検出座６０の先端開口６３の位置を湿分分離器２上端より高い位置になるよう仕切板９に突き出している。
【００２５】
このような構成の湿分分離加熱器１においては、従来例に示した液膜は仕切板９にて遮蔽され、上側レベル検出座６０から流入するドレンがない。このため、湿分分離加熱器１の器内圧が降下する時、ドレン排出管１５内が湿分分離加熱器１の器内より一時的に圧力が高くなっても、上側レベル検出座６０からレベル検出配管６２を介して下側レベル検出座１７にドレンが逆流し、レベルスイッチ１８を稼動させ、タービントリップに至る『水位高』の誤信号の発生はない。
【００２６】
次に図３および図４を参照して、本発明の第３の実施の形態を説明する。
図３は本発明の第３の実施の形態を示す湿分分離加熱器の縦断面図（図４のIII −III 断面に相当）であり、図４はこの湿分分離加熱器の軸方向縦断面図である。この湿分分離加熱器１には、上側レベル検出座７０、下側レベル検出座１７、レベル検出配管７１およびレベスイッチ１８から構成されるレベル検出装置７２が配設されている。
【００２７】
この実施の形態においては、上側レベル検出座７０を中央側仕切板２６で仕切られた湿分分離加熱器１のほぼ中央部分の容器壁１ｂに取り付け、容器１ａ内にてその先端開口７３を中央側仕切板２６を貫通し、湿分分離器２下流側に開放する。
【００２８】
このような構成の湿分分離加熱器１においては、従来例に示した液膜は仕切板９にて遮蔽され、上側レベル検出座７０から流入するドレンがない。このため、湿分分離加熱器１の器内圧力が降下する時でも第１の実施の形態と同様に、ドレンが上側レベル検出座７０からレベル検出配管７２を介して下側レベル検出座１７へ逆流することがないため、タービントリップ等に至る『水位高』の誤信号は発生しない。
【００２９】
次に、図５および図６を参照して、本発明の第４の実施の形態を説明する。なお、図５，６において図１と同一部分には同一の符号を付しその部分の構成の説明は省略する。
【００３０】
図５は本発明の第４の実施の形態を示す湿分分離加熱器の縦断面図（図６のＶ−Ｖ断面に相当）であり、図６はこの湿分分離加熱器の軸方向断面図である。図５，図６において、湿分分離加熱器１には、上側レベル検出座５０、下側レベル検出座８０、レベル検出配管８２およびレベルスイッチ１８から構成されるレベル検出装置８１が配設されている。そして、この湿分分離加熱器１においては、湿分分離器ドレンタンク８３が湿分分離加熱器１の容器１ａに直に接続されている。そして、上側レベル検出器５０の設置位置は第１の実施の形態と同一であり、下側レベル検出座８０が湿分分離器ドレンタンク８３に接続されている。
【００３１】
このような構成の湿分分離加熱器１においても、上述した第１の実施の形態と同様に液膜が仕切板９で遮蔽され、上側レベル検出座１６から流入するドレンがないから、湿分分離加熱器１の器内圧が低下する時でもタービントリップ等に至る『水位高』の誤信号は発生しない。
【００３２】
【発明の効果】
以上説明したように、本発明の湿分分離加熱器は、上側レベル検出座を湿分分離器下流側と連通する部分に取り付けてドレン水位を検出するように構成したことにより、通常運転時においては液膜が湿分分離器の上部に接続された仕切板にて遮蔽され上側レベル検出座に流入するドレンはなくなる。また、検出座付近を通るサイクル蒸気はすでに湿分分離器を通り湿分を除かれた蒸気のため上側レベル検出座先端開口に流入するドレンはなくなる。
【００３３】
従って、タービン出力を下げ、湿分分離加熱器の器内圧力がタービン出力とともに低下するような場合にも、上側レベル検出座からレベル検出配管にドレンが逆流し、上側レベル検出座と下側レベル検出座を接続するレベル検出配管にドレンが溜まってしまうことはない。よって、タービントリップに至る『水位高』の誤信号の発生を防止することができる。
【図面の簡単な説明】
【図１】本発明に係る第１の実施の形態を示す湿分分離加熱器の縦断面図。
【図２】本発明に係る第２の実施の形態を示す湿分分離加熱器の縦断面図。
【図３】本発明に係る第３の実施の形態を示す湿分分離加熱器の縦断面図。
【図４】図３に示す湿分分離加熱器の軸方向縦断面図。
【図５】本発明に係る第４の実施の形態を示す湿分分離加熱器の縦断面図。
【図６】図５に示す湿分分離加熱器の軸方向縦断面図。
【図７】湿分分離加熱器の従来例を示す軸方向縦断面図。
【図８】図７に示す湿分分離加熱器のVIII−VIII線に沿って切断した縦断面図。
【図９】図７に示す湿分分離加熱器のIX−IX線に沿って切断した縦断面図。
【図１０】図７に示す湿分分離加熱器の主要部を示す斜視図。
【図１１】図７に示す湿分分離加熱器を含む湿分分離ドレン配管系統図。
【符号の説明】
１…湿分分離加熱器、１ａ…容器、１ｂ…容器壁、２…湿分分離器、３ａ，３ｂ…加熱器、４ａ，４ｂ…加熱器ヘッダ、５ａ，５ｂ…仕切板、６ａ，６ｂ…Ｕ字状伝熱管、７…サイクル蒸気入口、８…サイクル蒸気出口、９，１０ａ，１０ｂ…仕切板、１１…ドレン流路、１２…底板、１３…天井板、１４…側板、１５…ドレン排出管、１６，５０，６０，７０…上側レベル検出座、１７，８０…下側レベル検出座、１８…レベルスイッチ、１９，８３…湿分分離器ドレンタンク、２０…ドレン弁、２１…ドレン排出合流管、２２ａ，２２ｂ…加熱蒸気管、２３ａ，２３ｂ…ベント管、２４ａ，２４ｂ…ドレン管、２５…鏡側仕切板、２６…中央側仕切板、２７，６３，７３…レベル検出器先端開口、２８…サイクル蒸気、２９…液膜、３０…ドレン流れ、３１…ドレン。
【図１】
0003727720.tif 000002
【図２】
0003727720.tif 000003
【図３】
0003727720.tif 000004
【図４】
0003727720.tif 000005
【図５】
0003727720.tif 000006
【図６】
0003727720.tif 000007
【図７】
0003727720.tif 000008
【図８】
0003727720.tif 000009
【図９】
0003727720.tif 000010
【図１０】
0003727720.tif 000011
【図１１】
0003727720.tif 000012